(57)【特許請求の範囲】
【請求項１】
警戒電路の漏洩電流を検出する零相変流器と、過大な入力電圧から回路を保護する入力保護部と、前記入力電圧の感度を設定する感度設定部と、高周波成分を除去するローパスフィルタと、直流成分を除去する交流結合と、前記入力電圧を増幅する増幅部と、増幅電圧と予め設定した設定電圧とを比較し前記増幅電圧が前記設定電圧を超えた場合に警報信号を出力する比較部とから成る漏電検出回路と、交流電源を降圧する変圧器と、該変圧器の二次側に接続された整流回路と、該整流回路の出力端子間に接続された平滑コンデンサとから成る電源回路と、前記零相変流器と前記漏電検出回路との動作確認をするために疑似漏洩電流を発生させる抵抗とスイッチから成るテスト回路とで構成された漏電検出器において、前記零相変流器の出力側に設けた前記スイッチと前記変圧器の二次側との間にコンデンサを介在させて一本の接続線で接続し、前記テスト回路の疑似漏洩電流源を構成し、テスト時に該擬似漏洩電流源から前記零相変流器に擬似漏洩電流を流して前記零相変流器と前記漏電検出回路の動作確認をすることを特徴とする漏電検出器のテスト回路。
【発明の詳細な説明】
【０００１】
【発明の属する技術分野】
本発明は、電路の漏電を検出して警報信号を出力する漏電検出器の動作確認のためのテスト回路に関する。
【０００２】
【従来の技術】
従来の漏電検出器２１は、図２に示すように警戒電路２２の漏洩電流を零相変流器２３により検出し、零相変流器２３から入力された入力電圧を感度設定部２４で予め設定した設定感度に応じた電圧に変換し、この入力電圧を増幅部２５により増幅し、増幅電圧と予め設定した設定電圧とを比較部２６により比較し、増幅電圧が設定電圧を超えると警報信号を出力し、音や光などにより外部に漏電を知らせている。この漏電検出回路２７の電源は、交流電源を変圧器２８により降圧し、変圧器２８の二次側に接続された四つのダイオードＤ１，Ｄ２，Ｄ３，Ｄ４から成る整流回路２９により整流し、整流回路２９の出力端子間に接続された平滑コンデンサＣ２により直流にする電源回路３０により電源を供給している。また、入力保護部３１は過大な入力電圧から回路を保護している。ローパスフィルタ３２は、近年、インバータ機器等から警戒電路２２に混入する高周波電流により漏電検出器２１が漏電と誤検出する事例が増えているため、高周波成分を除去するためのものである。ローパスフィルタ３２により高周波成分を除去した後、コンデンサＣ１と抵抗Ｒ１から成る交流結合３３により直流成分を除去し、増幅部２５の調整要素を減らしている。漏電検出器２１の漏電検出回路２７の動作確認と零相変流器２３の断線故障の有無を確認するためのテスト回路３４は、抵抗Ｒ２，Ｒ３と、スイッチ３５から成っている。
【０００３】
【発明が解決しようとする課題】
テスト回路３４の電源は、漏電検出回路２７に直流成分を除去する交流結合３３があるために交流電源でなければならない。変圧器２８の二次側と整流回路２９との間からテスト回路３４の電源を確保すると整流回路２９の影響により漏電検出回路２７が動作しないため、変圧器２８に第一の二次巻線２８ａを巻回して整流回路２９を接続し、また、変圧器２８に第二の二次巻線２８ｂを巻回してテスト回路３４の電源としている。第二の二次巻線２８ｂを必要とするため、変圧器２８が大型化し、製造コストが高くなるという問題があった。
【０００４】
【課題を解決するための手段】
上記従来の漏電検出器のテスト回路の問題点に鑑み、本発明の目的は、製造コストを低減し、而も小型化することができる漏電検出器のテスト回路を提供するもので、その構造は、警戒電路の漏洩電流を検出する零相変流器と、過大な入力電圧から回路を保護する入力保護部と、入力電圧の感度を設定する感度設定部と、高周波成分を除去するローパスフィルタと、直流成分を除去する交流結合と、入力電圧を増幅する増幅部と、増幅電圧と予め設定した設定電圧とを比較し増幅電圧が設定電圧を超えた場合に警報信号を出力する比較部とから成る漏電検出回路と、交流電源を降圧する変圧器と、変圧器の二次側に接続された整流回路と、整流回路の出力端子間に接続された平滑コンデンサとから成る電源回路と、零相変流器と漏電検出回路との動作確認をするために疑似漏洩電流を発生させる抵抗とスイッチから成るテスト回路とで構成された漏電検出器において、零相変流器の出力側に設けたスイッチと変圧器の二次側との間にコンデンサを介在させて一本の接続線で接続し、疑似漏洩電流源を構成し、テスト時に擬似漏洩電流源から零相変流器に擬似漏洩電流を流して零相変流器と漏電検出回路の動作確認をすることである。
【０００５】
【発明の実施の形態】
零相変流器の一方の出力側と入力保護部の間に抵抗とスイッチを並列に接続し、スイッチの試験側と電源回路が接続された変圧器の二次側の一方とを抵抗とコンデンサを直列に介在させて接続する。
【０００６】
【実施例】
本発明に係る漏電検出器のテスト回路の一実施例を図１の添付図面に基づいて説明する。
【０００７】
漏電検出器１は、警戒電路２の漏洩電流を漏電検出回路３に接続された零相変流器４により検出し、零相変流器４からの入力電圧が過大な場合は入力保護部５により漏電検出回路３を保護し、次に零相変流器４から入力された入力電圧を感度設定部６で予め設定した設定感度に応じた電圧に変換し、ローパスフィルタ７により誤動作の原因となる高周波成分を除去し、コンデンサＣ１と抵抗Ｒ１から成る交流結合８により直流成分を除去し、入力電圧を増幅部９により増幅し、増幅電圧と予め設定した設定電圧とを比較部１０により比較し、増幅電圧が設定電圧を超えると警報信号を出力し、音や光などにより外部に漏電を知らせている。
【０００８】
漏電検出回路３の電源は電源回路１１により供給している。電源回路１１は、交流電源を変圧器１２により降圧し、変圧器１２の二次側に接続された四つのダイオードＤ１，Ｄ２，Ｄ３，Ｄ４から成る整流回路１３により整流し、整流回路１３の出力端子間に接続された平滑コンデンサＣ２により平滑して直流に変換している。
【０００９】
漏電検出器１の漏電検出回路３の動作確認と零相変流器４の断線故障の有無を確認するためのテスト回路１４は、抵抗Ｒ２，Ｒ３と、切換式のスイッチ１５から成っている。
【００１０】
抵抗Ｒ２とスイッチ１５は零相変流器４の一方の出力側と入力保護部５の間に並列に接続され、通常、スイッチ１５は監視側に接続されている。スイッチ１５の試験側と変圧器１２の二次側の一方は抵抗Ｒ３とコンデンサＣ３を直列に介在させて接続されている。漏電検出回路３のテストを行う場合はスイッチ１５を試験側に切り換えてテストを行う。
【００１１】
コンデンサＣ３を介在させることにより直流電位の影響を除去し、正常にテストを行うことができる。
【００１２】
尚、本実施例において整流回路１３はダイオードブリッジにより全波整流したが、半波整流等でも何ら問題なく、整流回路について限定はない。
【００１３】
【発明の効果】
以上のように本発明に係る漏電検出器のテスト回路は、警戒電路の漏洩電流を検出する零相変流器と、過大な入力電圧から回路を保護する入力保護部と、入力電圧の感度を設定する感度設定部と、高周波成分を除去するローパスフィルタと、直流成分を除去する交流結合と、入力電圧を増幅する増幅部と、増幅電圧と予め設定した設定電圧とを比較し増幅電圧が設定電圧を超えた場合に警報信号を出力する比較部とから成る漏電検出回路と、交流電源を降圧する変圧器と、変圧器の二次側に接続された整流回路と、整流回路の出力端子間に接続された平滑コンデンサとから成る電源回路と、零相変流器と漏電検出回路との動作確認をするために疑似漏洩電流を発生させる抵抗とスイッチから成るテスト回路とで構成された漏電検出器において、零相変流器の出力側に設けたスイッチと変圧器の二次側との間にコンデンサを介在させて一本の接続線で接続し、テスト回路の疑似漏洩電流源を構成し、テスト時に擬似漏洩電流源から零相変流器に擬似漏洩電流を流して零相変流器と漏電検出回路の動作確認をすることにより、変圧器の二次巻線を一組増やすことがなく、コンデンサを追加するだけなので製造コストを低減し、而も変圧器の小型化に伴って漏電検出器自体を小型化・軽量化することができ、漏電検出回路と変圧器の二次側との接続線の本数を削減し回路パターンを単純化することができるという優れた効果を有するものである。
【図面の簡単な説明】
【図１】本発明に係る漏電検出器の回路図である。
【図２】従来の漏電検出器の回路図である。
【符号の説明】
１      漏電検出器
２      警戒電路
３      漏電検出回路
４      零相変流器
５      入力保護部
６      感度設定部
７      ローパスフィルタ
８      交流結合
９      増幅部
１０    比較部
１１    電源回路
１２    変圧器
１３    整流回路
１４    テスト回路
１５    スイッチ
Ｃ１    コンデンサ
Ｃ２    平滑コンデンサ
Ｃ３    コンデンサ
Ｄ１    ダイオード
Ｄ２    ダイオード
Ｄ３    ダイオード
Ｄ４    ダイオード
Ｒ１    抵抗
Ｒ２    抵抗
Ｒ３    抵抗
【図１】
0004450349.tif 000002
【図２】
0004450349.tif 000003